(57)【特許請求の範囲】
【請求項１】
円筒形状として、上部が閉鎖され、下部は開口された上部カバー(10)と;
上下部が開口された円筒形状の部材であって、前記上部カバー(10)の下部開口に挿入されたショルダー(20)と;
上部は開口され、下部は閉鎖された円筒形状の部材であって、前記ショルダー(20)の中央に外側に突設された円柱形突起(21)の下部外周縁に上部開口部が挿入結合される下部カバー(30)と;
前記下部カバー(30)の内部に挿入されて前記下部カバー(30)と一体に回動される円筒形状の部材である回転体(40)と;
前記回転体(40)の内部中央に挿入されて回転体と一体に回転しながら上昇及び下降し、上部に口紅(1)を把持する口紅把持部材(50)と;
上下部が開口されて外周縁が傾斜した形状の部材であって、前記回転体(40)と口紅把持部材(50)の間に設置されて前記口紅把持部材(50)が上昇及び下降するときに、垂直に上昇及び下降するようにガイドするガイド部材(60)と;
前記口紅把持部材(50)の外周縁に固定結合される上下部が開口された円筒形状の部材として、上部開口が傾斜して切欠いて、その内部の口紅(1)を保護する口紅収容部材(70)からなり、
前記ショルダー(20)は、中央に突設された円柱形突起(21)と;
前記円柱形突起(21)を基準に上部外周縁に前記上部カバー(10)の下部内周縁に円周方向に突設された第1円形突起(11)が挿入されるように形成された円柱形の上部円形溝(22)と;
前記円柱形突起(21)の下部外周縁には、前記下部カバー(30)の上部内周縁に円周方向に突設された第2円形の突起(31)が挿入されるように形成された円柱形の下部円形溝(23)と;
前記ショルダー(20)の上面と外周面をカバーするように設置されて前記上部カバー(10)の内周面と密着されて口紅(1)が外部の空気によって汚染されないように密封する帯状のパッキング部材(24)からなることを特徴とする口紅容器。
【請求項２】
前記下部カバー(30)は、その下部内周縁に多数の垂直突起(32)が形成され;
前記下部カバー(30)の上部内周縁に前記回転体(40)が挿入されるときにガイドする多数の垂直ガイド突起(33)が形成されていることを特徴とする請求項1に記載された口紅容器。
【請求項３】
前記回転体(40)は、その内部中央に床面から突設されて把持部材(50)の脚部(51)が安着される中央突設棒(42)と;
前記中央突設棒(42)と離隔された内周壁にねじが形成されて前記脚部(51)の螺合突起(52)が螺旋結合される螺旋形状部(43)からなることを特徴とする請求項1〜請求項2のいずれか１項に記載された口紅容器。
【請求項４】
前記口紅把持部材(50)は、上部に口紅(1)を垂直に把持する丸い円筒形状の把持部(53)と;
前記把持部(53)の下端面の中央に下部に突設された円形棒形状の脚部(51)と;
前記脚部(51)の下端に両側に突設されて前記回転体(40)の螺旋形状部(43)にねじ結合される螺合突起(52)と;
前記二つの螺合突起(52)と直角になる方向に突設されて前記ガイド部材(60)に挿入ガイドされるガイド突起(54)と;
前記回転体(40)の中央突設棒(42)が挿入される前記脚部(51)の内周壁に多数突設されて前記中央突設棒(42)の外周縁と密着される密着突起(55)からなることを特徴とする請求項3に記載された口紅容器。
【請求項５】
前記ガイド部材(60)は、上面に貫通されて前記口紅把持部材(50)の脚部(51)が挿入される四角形状の四角貫通ホール(61)と;
前記四角貫通ホール(61)の対向される側面に形成されて前記脚部(51)の螺合突起(52)が挿入ガイドされる一対の第1ガイド溝(62)と;
前記第1ガイド溝(62)と垂直になる面に形成されて前記脚部(51)のガイド突起(53)が挿入ガイドされる一対の第2ガイド溝(63)と;
その内周縁の上側に円柱形に形成されて前記回転体(40)の上部外周縁に円周方向に突設された結合突起(44)が挿入結合される円柱形結合溝(64)と;
その外周縁の下端に突設され、前記口紅収容部材(70)の下端が安着されるように支持する支持突起(65)からなることを特徴とする請求項4に記載された口紅容器。
【発明の詳細な説明】
【技術分野】
【０００１】
本発明は、口紅容器に関するもので、より詳細には、口紅を使用していない時、外部の空気が流入しないようにして口紅が変質しないようにした口紅容器に関するものである。
【背景技術】
【０００２】
一般的に、顔を飾るための道具として使用されている化粧品は、それぞれの顔の部位に応じて、それぞれ異なる機能を持って使用され、特に唇を飾るための道具として使用される化粧品では、口紅またはリップライナーをその代表的な例として挙げられる。
【０００３】
このような従来の口紅容器は、別のケースに棒形状口紅が内蔵されて唇部位に色を塗っに使用されるものであり、リップライナーは唇の外郭線を明確にするために唇の外郭線を描くのに使用されているものであり、このような口紅とリップライナーによる唇化粧は同じ色系統の口紅とリップライナーを並行して使用することが一般的な傾向であり、使用者の好みに応じて様々な色で製品化されて市販されている。
【０００４】
一方、前記の口紅容器の構成を見ると、使用者が手で回転させる本体及び本体上部に締結固定され、本体の回転により上、下に移動されて、口紅が受容された口紅容器で構成されている。
【０００５】
しかし、前記のような口紅容器に固体タイプの口紅を受容するために自動化機械を用いて挿入させるのに、本体に回転可能に締結された口紅容器が移送中、外部の衝撃によって搖れるようになると、本体中央に正確に位置されていない状態で固体タイプの口紅の一部が外部に流出した状態で挿入される問題が発生する。
【先行技術文献】
【特許文献】
【０００６】
【特許文献１】国内登録実用新案第475887号(2015. 1. 5. 登録)
【特許文献２】国内登録実用新案第475104号(2014. 10. 31. 登録)
【特許文献３】国内登録実用新案第475120号(2014. 10. 31. 登録)
【特許文献４】国内登録実用新案第418934号(2006. 6. 8. 登録)
【発明の概要】
【発明が解決しようとする課題】
【０００７】
本発明は、前記の従来技術の要望に応えるために発明されたもので、口紅を使用していない時、外部の空気が流入しないようにして、口紅が変質しないようにした口紅容器を提供することにある。
【課題を解決するための手段】
【０００８】
本発明の第1の実施例による口紅容器は、円筒形状として、上部が閉鎖され、下部は開口された上部カバー(10)と; 上下部が開口された円筒形状の部材であって、前記上部カバー(10)の下部開口に挿入されたショルダー(20)と; 上部は開口されて、下部は閉鎖された円筒形状の部材であって、前記ショルダー(20)の中央に外側に突設された円柱形突起(21)の下部外周縁に上部開口部が挿入結合される下部カバー(30)と; 前記下部カバー(30)の内部に挿入されて前記下部カバー(30)と一体に回動される円筒形状の部材である回転体(40)と; 前記回転体（40)の内部中央に挿入されて回転体と一体に回転しながら上昇及び下降し、上部に口紅(1)を把持する口紅把持部材(50)と; 上下部が開口されて外周縁が傾斜した形状の部材であって、前記回転体(40)と口紅把持部材(50)の間に設置されて前記口紅把持部材(50)が上昇及び下降する時、垂直に上昇及び下降するようにガイドするガイド部材(60)と; 前記口紅把持部材(50)の外周縁に固定結合される上下部が開口された円筒形部材であって、上部開口が傾斜して切欠いて、その内部の口紅(1)を保護する口紅収容部材(70)からなることを特徴とする。
【０００９】
前記ショルダー(20)は、中央に突設された円柱形突起(21)と; 前記円柱形突起(21)を基準に上部外周縁に前記上部カバー(10)の下部内周縁に円周方向に突設された第1円形突起(11)が挿入されるように形成された円柱形の上部円形溝(22)と;  前記円柱形突起(21)の下部外周縁には、前記下部カバー(30)の上部内周縁に円周方向に突設された第2円形突起(31)が挿入されるように形成された円柱形の下部円形溝(23)と; 前記ショルダー(20)の上面と外周面をカバーするように設置されて前記上部カバー(10)の内周面と密着されて口紅(1)が外部の空気によって汚染されないように密封する帯形状のパッキング部材(24)からなることを特徴とする。
【００１０】
前記下部カバー(30)は、その下部内周縁に多数の垂直突起(32)が形成され; 前記下部カバー(30)の上部内周縁に前記回転体(40)が挿入される時にガイドする多数の垂直ガイド突起(33)が形成されていることを特徴とする。
【００１１】
前記回転体(40)は、その内部中央に床面から突設されて把持部材(50)の脚部(51)が安着される中央突設棒(42)と; 前記中央突設棒(42)と離隔された内周壁にねじが形成され、前記脚部(51)の螺合突起(52)が螺旋結合される螺旋形状部(43)からなることを特徴とする。
【００１２】
前記口紅把持部材(50)は、上部に口紅(1)を垂直に把持する丸い円筒形状の把持部(53)と; 前記把持部(53)の下端面の中央に下部に突設された円形棒形状の脚部(51)と; 前記脚部(51)の下端に両側に突設されて前記回転体(40)の螺旋形状部(43)にねじ結合される螺合突起(52)と; 前記二つの螺合突起(52)と直角になる方向に突設されて前記ガイド部材(60)に挿入ガイドされるガイド突起(54)と; 前記回転体(40)の中央突設棒(42)が挿入される前記脚部(51)の内周壁に多数突設され、前記中央突設棒(42)の外周縁と密着される密着突起(55)からなることを特徴とする。
【００１３】
前記ガイド部材(60)は、上面に貫通されて、前記口紅把持部材(50)の脚部(51)が挿入される四角形状の四角貫通ホール(61)と; 前記四角貫通ホール(61)の対向される側面に形成され、前記脚部(51)の螺合突起(52)が挿入ガイドされる一対の第1ガイド溝(62)と; 前記第1ガイド溝(62)と垂直になる面に形成され、前記脚部(51)のガイド突起(53)が挿入ガイドされる一対の第2ガイド溝(63)と; その内周縁の上側に円柱形に形成されて前記回転体(40)の上部外周縁に円周方向に突設された結合突起(44)が挿入結合される円柱形結合溝(64)と; その外周縁の下部に突設され、前記口紅收容部材(70)の下端が安着されるように支持する支持突起(65)からなることを特徴とする。
【発明の効果】
【００１４】
本発明の口紅容器によれば、口紅を使用していない時に外部の空気が流入しないようにして、口紅が変質しないようにして、口紅収容部材が垂直に上昇及び下降するようにガイドする効果を持っている。
【図面の簡単な説明】
【００１５】
【図１】本発明に係る口紅容器を分解図示した斜視図である。
【図２】本発明に係る口紅容器を組立図示した断面図である。
【図３】本発明に係る口紅容器の使用時を図示した断面図である。
【図４】本発明に係る口紅容器の口紅把持部材を図示した断面図である。
【図５】本発明に係る口紅容器の口紅把持部材を図示した底面図である。
【図６】本発明に係る口紅容器のガイド部材を図示した断面図である。
【図７】本発明に係る口紅容器のガイド部材を図示した平面図である。
【図８】本発明に係る口紅容器の回転体を図示した断面図である。
【図９】本発明に係る口紅容器の下部カバーを図示した断面図である。
【発明を実施するための最良の形態】
【００１６】
以下、本発明の好ましい実施例を添付した図面を参照して当該分野の通常の知識を持つ者が容易に実施できるように説明することにする。添付された図面で構成に表記された図面番号は, 他の図面でも同一の構成を表記する際に、できるだけ同一の図面番号を使用していることに留意しなければならない。又、本発明を説明することにおいて、関連された公知の機能又は公知の構成に対する具体的な説明が本発明の要旨を曖昧にすることができると判断される場合は, その詳細な説明を省略する。そして図面に提示されたいくつかの特徴は説明の容易さのために拡大又は縮小又は単純化されたものであり, 図面及びその構成要素は必ず適切な比率では図示されてはいない。しかし当業者なら、このような詳細事項を容易に理解できる。
【００１７】
'第1'、'第2'などのように、序数を含む用語は多様な構成要素を説明するのに使用できるが、前記の構成要素は前記用語によって限定されない。前記の用語は一つの構成要素を他の構成要素から区別する目的のみに使用される。例えば、本発明の権利範囲を超えないで第1構成要素は第2構成要素と命名されることができ、類似するように第2構成要素も第1構成要素と命名されることができる。"及び/又は"という用語は, 複数の関連する記載項目の組み合わせ又は複数の関連する記載項目の中にいずれかの項目を含む。
【００１８】
また、'前面'、'後面'、'上面'、'下面'などのように図面に見えるものを基準に記述された相対的な用語は'第1'、'第2'などのような序数に代替されることができる。
【００１９】
'第1'、'第2'などの序数において、その順序は言及された順序又は任意で定められたもので、その順序は必要に応じて任意に変更することができる。
【００２０】
本発明で使用した用語は、単に特定の実施例を説明するために使用されたもので、本発明を限定する意図ではない。単数の表現は文脈上明らかに別の方法で意味しない限り、複数の表現を含んでいる。本出願で、"含む"又は"持つ"などの用語は、明細書上に記載された特徴、数字、段階、動作、構成要素、部品またはこれらを組み合わせたものが存在することを指定しようとするのであって、一つ又はそれ以上の他の特徴や数字、段階、動作、構成要素、部品又はこれらを組み合わせたものなどの存在又は付加可能性を予め排除しないものと理解されるべきである。
【００２１】
異なって定義されない限り, 技術的あるいは科学的な用語も含めて, ここで使用されるすべての用語は, 本発明が属する技術分野で通常の知識を持った者によって一般的に理解されるものと同じ意味を持っている。一般的に使用される辞書に定義されているような用語は, 関連技術の文脈上持つ意味と一致する意味を持つものと解釈されるべきであり, 本出願で明らかに定義しない限り, 理想的あるいは過度に形式的な意味に解釈されない。
【００２２】
以下、本発明の好ましい実施例を添付された図面を参照して詳細に説明する。併せて、本発明の説明することにおいて関連された公知の構成又は機能に対する具体的な説明が本発明の要旨を曖昧にすることができると判断される場合はその詳細な説明を省略する。
【００２３】
以下、添付された図面を参照して、本発明に係る口紅容器の好ましい実施例を詳細に説明する。
【００２４】
図1は、本発明に係る口紅容器を分解図示した斜視図であり、図2は、本発明に係る口紅容器を組み立て示す断面図であり、図3は、本発明に係る口紅容器の使用時を示す断面図であり、図4は、本発明に係る口紅容器の口紅把持部材を示す断面図であり、図5は、本発明に係る口紅容器の口紅把持部材を示す底面図であり、図6は、本発明に係る口紅容器のガイド部材を示す断面図であり、図7は、本発明に係る口紅容器のガイド部材を示す平面図であり、図8は、本発明に係る口紅容器の回転体を示す断面図であり、図9は、本発明に係る口紅容器の下部カバーを図示した断面図である。
【００２５】
図1〜図9を参照して、その構成を説明する。
【００２６】
本発明に係る口紅容器は、円筒形状として、上部が閉鎖され、下部は開口された上部カバー(10)と; 上下部が開口された円筒形状の部材であって、前記上部カバー(10)の下部開口に挿入されたショルダー(20)と; 上部は開口されて、下部は閉鎖された円筒形状の部材であって、前記ショルダー(20)の中央に外側に突設された円柱形突起(21)の下部外周縁に上部開口部が挿入結合される下部カバー(30)と; 前記下部カバー(30)の内部に挿入されて前記下部カバー(30)と一体に回動される円筒形状の部材である回転体(40)と; 前記回転体(40)の内部中央に挿入されて回転体と一体に回転しながら上昇及び下降し、上部に口紅(1)を把持する口紅把持部材(50)と;  上下部が開口されて外周縁が傾斜した形状の部材であって、前記回転体(40)と口紅把持部材(50)の間に設置されて前記口紅把持部材(50)が上昇及び下降する時、垂直に上昇及び下降するようにガイドするガイド部材(60)と;  前記口紅把持部材(50)の外周縁に固定結合される上下部が開口された円筒形部材であって、上部開口が傾斜して切欠いて、その内部の口紅(1)を保護する口紅收容部材(70)からなる。
【００２７】
前記ショルダー(20)は、中央に突設された円柱形突起(21)を基準に上部外周縁に前記上部カバー(10)の下部内周縁に円周方向に突設された第1円形突起(11)が挿入されるように形成された円柱形の上部円形溝(22)と、前記円柱形突起(21)の下部外周縁には、前記下部カバー(30)の上部内周縁に円周方向に突設された第2円形突起(31)が挿入される円柱形の下部円形溝(23)が形成されている。
【００２８】
前記ショルダー(20)の上端には、前記上部カバー(10)の内周面と密着して口紅(1)が外部の空気によって汚染されないように密封する帯状のパッキング部材(24)がショルダー(20)の上面と外周面をカバーするように設置されている。
【００２９】
前記下部カバー(30)は、その下部内周縁に多数の垂直突起(32)が形成されている。前記多数の垂直突起(32)は、前記回転体(40)の下部外周縁に形成された多数の垂直溝(41)に挿入されて、下部カバー(30)の回転にによって回転することができるようになっている。
【００３０】
前記下部カバー(30)の上部内周縁にも多数の垂直ガイド突起(33)が形成されて、前記回転体(40)が挿入される時にガイドするようになる。
【００３１】
前記回転体(40)は、その内部中央に床面から突設されて把持部材(50)の脚部(51)が安着される中央突設棒(42)と; 前記中央突設棒(42)と離隔された内周壁にねじが形成され、前記脚部(51)の螺合突起(52)が螺旋結合される螺旋形状部(43)からなる。
【００３２】
前記口紅把持部材(50)は、上部に口紅(1)を垂直に把持する丸い円筒形状の把持部(53)と;  前記把持部(53)の下端面の中央に下部に突設された円形棒形状の脚部(51)と;  前記脚部(51)の下端に両側に突設されて前記回転体(40)の螺旋形状部(43)にねじ結合される螺合突起(52)と; 前記二つの螺合突起(52)と直角になる方向に突設されて前記ガイド部材(60)に挿入ガイドされるガイド突起(54)と; 前記回転体(40)の中央突設棒(42)が挿入される前記脚部(51)の内周壁に多数突設され、前記中央突設棒(42)の外周縁と密着される密着突起(55)からなる。
【００３３】
前記密着突起(55)は、前記口紅把持部材(50)が垂直に上昇及び下降するようにガイドすることになる。
【００３４】
前記ガイド部材(60)は、上面に貫通されて、前記口紅把持部材(50)の脚部(51)が挿入される四角形状の四角貫通ホール(61)と;  前記四角貫通ホール(61)の対向される側面に形成され、前記脚部(51)の螺合突起(52)が挿入ガイドされる一対の第1ガイド溝(62)と; 前記第1ガイド溝(62)と垂直になる面に形成されて、前記脚部(51)のガイド突起(53)が挿入ガイドされる一対の第2ガイド溝(63)と; その内周縁の上側に円柱形に形成されて前記回転体(40)の上部外周縁に円周方向に突設された結合突起(44)が挿入結合される円柱形の結合溝(64)と;  その外周縁の下部に突設され、前記口紅収容部材(70)の下端が安着されるように支持する支持突起(65)からなる。
【００３５】
次の前記したように構成された口紅容器の作用及び効果を説明する。
【００３６】
まず、口紅容器の組立過程を説明すると、下部カバー(30)の回転体(40)を挿入することになるところ、回転体(40)の多数の垂直溝(41)に下部カバー(30)の上部内周縁に形成された垂直ガイド突起(33)を挿入しながら下降させると、下部カバー(30)の多数の垂直突起(32)が垂直溝(41)に挿入されて結合される。そして、前記回転体(40)の上部にガイド部材(60)を結合させるのに、ガイド部材(60)の上部内周縁に形成された円柱形の結合溝(64)に回転体(40)の結合突起(44)を挿入させて結合する。
【００３７】
このような状態で、口紅把持部材(50)の脚部(51)に形成された螺合突起(52)とガイド突起(54)をガイド部材(60)の第1及び第2ガイド溝(62、63)にそれぞれ挿入しながら螺合突起(52)が螺旋形状部(43)に位置するようにした後、回転させながら図2aのように回転体(40)内の下部にまで下降させる。
【００３８】
そして、外周縁が下部外径が上部外径よりも大きく傾斜したガイド部材(60)の下部支持突起(65)に口紅収容部材(70)を安着させる。
【００３９】
その後、上面にパッキング部材(24)が結合された口紅収容部材(70)の外側を通じてショルダー(20)を下部に押し込むとショルダー(20)の下部円形溝(23)に下部カバー(30)の第2円形突起(31)が挿入されて回転可能に結合され、中央円柱形突起(21)は、下部カバー(30)の上面に安着される。
【００４０】
このような状態で、上部カバー(10)を閉めると、ショルダー(20)の上部円形溝(22)に第1円形突起(11)が挿入されて結合され、パッキング部材(24)に上部カバー(10)の内周面が密着されて、外部の空気が内部に入らないようになる。
【００４１】
このような口紅容器は使用するために、上部カバー(10)を開いた後、下部カバー(30)を回すと、その内部の螺旋形上部(43)に噛み合っている脚部(51)の螺合突起(52)が螺旋上部(43)に従って上昇して口紅を使用することになる(図3)。
【００４２】
前記口紅収容部材(50)は、その脚部(51)の外周面に形成されたガイド突起(54)がガイド部材(60)の第2ガイド溝(63)に挿入されているので、回転体(40)の回転によって回転せずに垂直にのみ上昇と下降することになる。
【００４３】
以上のように、本発明の詳細な説明で具体的な実施例について説明したが、本発明の技術は、当業者によって容易に変形実施される可能性が自明であり、このような変形された実施例は、本発明の特許請求の範囲に記載された技術思想に含まれることであろう。
【符号の説明】
【００４４】
10 : 上部カバー                   
11 : 第1円形突起
20：ショルダー 
21：円柱形の突起
22：上部円形溝 
23：下部円形溝
24：パッキング部材
30：下部カバー 
31：第2円形突起                  
32：多数の垂直突起
33：多数の垂直ガイド突起        
40：回転体    
41：多数の垂直溝                
42：中央突設棒
43：螺旋形上部                  
44：結合突起 
50：口紅把持部材                
51：脚部 
52：螺合突起                    
53：把持部 
54：ガイド突起                  
55：密着突起
60 : ガイド部材                  
61 : 四角貫通ホール
62、63：第1、第2ガイド溝       
64：円柱形結合溝          
65：支持突起                   
70：口紅収容部材 
【図１】
0006828224.tif 000002
【図２】
0006828224.tif 000003
【図３】
0006828224.tif 000004
【図４】
0006828224.tif 000005
【図５】
0006828224.tif 000006
【図６】
0006828224.tif 000007
【図７】
0006828224.tif 000008
【図８】
0006828224.tif 000009
【図９】
0006828224.tif 000010